【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
第１の周波数帯域を用いた無線通信と前記第１の周波数帯域とは異なる第２の周波数帯域を用いた無線通信とをそれぞれ実行可能な印刷装置であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を実行可能な通信手段と、
前記通信手段の使用するチャネルを設定し、前記通信手段を制御する制御手段と、
前記制御手段により設定されたチャネルを用いた無線通信により、前記情報処理装置から送信され前記通信手段により受信されたデータに基づき印刷処理を実行する印刷制御手段と、
を備え、
前記第１の通信モードでは、前記通信手段は、前記第１の周波数帯域のチャネルと、前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域のチャネルと、前記第２の周波数帯域に含まれ前記特定の周波数帯域とは異なる周波数帯域のチャネル、のいずれのチャネルを用いても通信可能であり、
前記第２の通信モードでは、前記通信手段は、前記第１の周波数帯域のチャネルと、前記第２の周波数帯域に含まれ前記特定の周波数帯域とは異なる周波数帯域のチャネル、のどちらのチャネルを用いても通信可能であり、前記特定の周波数帯域のチャネルを用いて通信しないよう制御される、ことを特徴とする印刷装置。
【請求項２】
第１の周波数帯域を用いた無線通信と前記第１の周波数帯域とは異なる第２の周波数帯域を用いた無線通信とをそれぞれ実行可能な印刷装置であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を実行可能な通信手段と、
前記通信手段の使用するチャネルを設定し、前記通信手段を制御する制御手段と、
前記制御手段により設定されたチャネルを用いた無線通信により、前記情報処理装置から送信され前記通信手段により受信されたデータに基づき印刷処理を実行する印刷制御手段と、
を備え、
前記第１の通信モードと前記第２の通信モードのどちらも有効化される場合、前記制御手段は、前記第１の通信モードにおいて使用するチャネルに基づいて前記第２の通信モードにおいて使用するチャネルを設定し、
前記通信手段が前記第１の通信モードにおいて、前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域のチャネルを用いて通信する場合、前記制御手段は、前記通信手段が前記特定の周波数帯域のチャネルを用いて前記第２の通信モードの通信を実行しないよう制御することを特徴とする印刷装置。
【請求項３】
前記通信手段が前記第１の通信モードにおいて前記特定の周波数帯域のチャネルを用いて通信する場合、前記制御手段は、前記第２の通信モードのチャネルとして、前記異なる周波数帯域のチャネルを設定することを特徴とする請求項１または２に記載の印刷装置。
【請求項４】
前記第１の通信モードと前記第２の通信モードのどちらも有効化される場合、前記制御手段は、前記第１の通信モードと前記第２の通信モードとで同じチャネルを設定することを特徴とする請求項１から３のいずれか１項に記載の印刷装置。
【請求項５】
前記通信手段が前記第１の通信モードにおいて前記特定の周波数帯域のチャネルで通信する場合、前記制御手段は、前記通信手段が前記第２の通信モードの通信を実行しないよう制御することを特徴とする請求項１から４のいずれか１項に記載の印刷装置。
【請求項６】
前記通信手段が前記第１の通信モードにおいて前記異なる周波数帯域のチャネルを用いて通信する場合、前記制御手段は、前記第２の通信モードにおいて使用するチャネルとして、前記第１の通信モードにおいて使用するチャネル同じチャネルを設定することを特徴とする請求項１から４のいずれか１項に記載の印刷装置。
【請求項７】
前記通信手段が前記第１の通信モードにおいて前記異なる周波数帯域のチャネルで通信する場合、前記制御手段は、前記通信手段が前記第２の通信モードの通信を実行しないよう制御することを特徴とする請求項１から６のいずれか１項に記載の印刷装置。
【請求項８】
前記通信手段は、外部装置との通信により、外部のアクセスポイントとの接続に必要な設定情報を取得し、
前記取得した設定情報に含まれる周波数帯域に関する情報に基づき、前記通信手段は前記外部のアクセスポイントと接続し前記第１の通信モードの通信を実行することを特徴とする請求項１から７のいずれか１項に記載の印刷装置。
【請求項９】
前記取得した設定情報に含まれる前記周波数帯域に関する情報が、前記第１の周波数帯域のチャネルを示す場合、前記通信手段は、前記外部のアクセスポイントとの接続に用いるチャネルと同じチャネルを用いて前記第２の通信モードを実行し、
前記取得した設定情報に含まれる周波数帯域に関する情報が、前記特定の周波数帯域のチャネルを示す場合、前記通信手段は、前記第２の通信モードを実行しないことを特徴とする請求項８に記載の印刷装置。
【請求項１０】
前記通信手段は、前記第１の通信モードが有効化されており、かつ前記第１の通信モードにおいて使用するチャネルとして前記特定の周波数帯域のチャネルが設定されている状態において、前記第２の通信モードを有効化する場合は、前記第１の通信モードを実行せずに、前記第２の通信モードを実行し、
前記通信手段は、前記第１の通信モードが有効化されており、かつ前記第１の通信モードにおいて使用するチャネルとして前記第１の周波数帯域のチャネルが設定されている状態において、前記第２の通信モードを有効化する場合は、前記第１の通信モードにおいて使用するチャネルと同じチャネルを用いて前記第２の通信モードを実行することを特徴とする請求項１から９のいずれか１項に記載の印刷装置。
【請求項１１】
前記通信手段は、前記第２の通信モードが有効化されており、かつ前記第１の通信モードにおいて使用するチャネルとして前記特定の周波数帯域のチャネルが設定されている状態において、前記第１の通信モードを有効化する場合は、前記第２の通信モードを実行せずに、前記第１の通信モードを実行し、
前記通信手段は、前記第２の通信モードが有効化されており、かつ前記第１の通信モードにおいて使用するチャネルとして前記第１の周波数帯域のチャネルが設定されている状態において、前記第１の通信モードを有効化する場合は、前記第１の通信モードにおいて使用するチャネルと同じチャネルを用いて前記第１の通信モードを実行することを特徴とする請求項１から１０のいずれか１項に記載の印刷装置。
【請求項１２】
前記通信手段は、外部のアクセスポイントの探索を行うことにより、前記外部のアクセスポイントから識別情報を含む応答情報を取得し、
前記取得された応答情報に基づき前記印刷装置の表示手段に表示された識別情報の中から、ユーザーにより選択された識別情報に対応する外部のアクセスポイントと前記通信手段は接続し、前記第１の通信モードの通信を実行することを特徴とする請求項１から１１のいずれか１項に記載の印刷装置。
【請求項１３】
前記制御手段は、前記第２の通信モードが有効化されている状態において、前記選択された識別情報に対応する外部のアクセスポイントと前記第１の周波数帯域のチャネルで接続される場合は、前記制御手段は、前記第２の通信モードのチャネルにおいて使用するチャネルを前記第１の通信モードのチャネルと同じチャネルに設定し、
前記第２の通信モードが有効化されている状態において、前記選択された識別情報に対応する外部のアクセスポイントと前記特定の周波数帯域のチャネルで接続される場合、前記通信手段は、前記第２の通信モードを実行しないことを特徴とする請求項１２に記載の印刷装置。
【請求項１４】
前記通信手段は、無線の自動セットアップ方式により、外部のアクセスポイントから周波数帯域に関する情報を含む接続情報を取得し、
前記取得された接続情報に前記第１の周波数帯域に関する情報と第２の周波数帯域に関する情報とが含まれる場合、前記通信手段は、前記第１の周波数帯域を優先して前記外部のアクセスポイントと接続することを特徴とする請求項１から１３のいずれか１項に記載の印刷装置。
【請求項１５】
前記無線の自動セットアップ方式は、ＷＰＳ（Ｗｉ−Ｆｉ  Ｐｒｏｔｅｃｔｅｄ  Ｓｅｔｕｐ）、ＡＯＳＳ（ＡｉｒＳｔａｔｉｏｎ  Ｏｎｅ−Ｔｏｕｃｈ  Ｓｅｃｕｒｅ  Ｓｙｓｔｅｍ）、らくらく無線スタート、のうちいずれかであることを特徴とする請求項１４に記載の印刷装置。
【請求項１６】
前記制御手段は、前記第２の通信モードが有効化されている状態において、前記外部のアクセスポイントと前記第１の周波数帯域のチャネルで接続される場合、前記第２の通信モードにおいて使用するチャネルを前記第１の通信モードのチャネルと同じチャネルに設定し、
前記通信手段は、前記第２の通信モードが有効化されている状態において、前記外部のアクセスポイントと前記特定の周波数帯域のチャネルで接続される場合、前記第２の通信モードを実行しないことを特徴とする請求項１４又は１５に記載の印刷装置。
【請求項１７】
前記第１の通信モードまたは前記第２の通信モードのうちいずれかが無効化される場合には、前記印刷装置の表示手段にメッセージが表示されることを特徴とする請求項１から１６のいずれか１項に記載の印刷装置。
【請求項１８】
前記通信手段は、ＩＥＥＥ８０２．１１シリーズに準拠した通信により、前記第１の通信モードと前記第２の通信モードとを実行することを特徴とする請求項１から１７のいずれか１項に記載の印刷装置。
【請求項１９】
前記第１の通信モードは、前記外部のアクセスポイントが親局として動作し、前記印刷装置が子局として動作するモードであることを特徴とする請求項１から１８のいずれか１項に記載の印刷装置。
【請求項２０】
前記第１の通信モードでは、親局としての前記外部のアクセスポイントから取得した周波数に関する情報に基づいて、前記制御手段が設定するチャネルが決定され、
前記第２の通信モードでは、前記制御手段が設定するチャネルに基づいて、子局である前記情報処理装置が設定するチャネルが決定されることを特徴とする請求項１から１９のいずれか１項に記載の印刷装置。
【請求項２１】
前記第２の通信モードでは、前記印刷装置は親局として固定的に動作することを特徴とする請求項１から２０のいずれか１項に記載の印刷装置。
【請求項２２】
前記第２の通信モードでは、役割決定のためのネゴシエーションを実行することにより、前記印刷装置は、親局として動作することを特徴とする請求項１から２１のいずれか１項に記載の印刷装置。
【請求項２３】
前記第２の通信モードは、前記印刷装置のアクセスポイント機能を実行することにより前記印刷装置が親局として動作するモードであることを特徴とする請求項１から２２のいずれか１項に記載の印刷装置。
【請求項２４】
前記第２の通信モードは、前記印刷装置がＷｉ−Ｆｉ  Ｄｉｒｅｃｔ（登録商標）のＧｒｏｕｐ  Ｏｗｎｅｒとして動作することにより前記印刷装置が親局として動作するモードであることを特徴とする請求項１から２３のいずれか１項に記載の印刷装置。
【請求項２５】
前記第１の通信モードの通信と前記第２の通信モードの通信とを並行して実行する場合、前記制御手段は、前記第２の通信モードにおいて使用するチャネルとして、前記第１の通信モードのチャネルと異なるチャネルを設定可能であることを特徴とする請求項１から２４のいずれか１項に記載の印刷装置。
【請求項２６】
前記通信手段が用いる周波数帯域として前記第２の周波数帯域と前記第１の周波数帯域のどちらを用いるかユーザーによる設定が可能であり、前記ユーザーによる設定に基づく周波数帯域のチャネルを用いて前記第２の通信モードの通信が実行されることを特徴とする請求項１から２５のいずれか１項に記載の印刷装置。
【請求項２７】
前記印刷装置はさらに有線ＬＡＮによる通信を実行可能であり、
前記通信手段は、前記有線ＬＡＮが有効に設定されている場合、前記第１の通信モードと前記第２の通信モードのいずれも実行できないことを特徴とする請求項１から２６のいずれか１項に記載の印刷装置。
【請求項２８】
前記印刷処理を実行されたデータに基づき、インクを吐出して印刷を実行するインクジェット印刷手段を備えることを特徴とする請求項１から２７のいずれか１項に記載の印刷装置。
【請求項２９】
前記インクジェット印刷手段は、インクタンクから供給されるインクを吐出し、
前記印刷制御手段は、前記インクタンクの残量に関するステータス情報を更新することを特徴とする請求項２８に記載の印刷装置。
【請求項３０】
前記通信手段が前記第１の通信モードにおいて前記特定の周波数帯域のチャネルを用いて通信する場合、前記情報処理装置が前記特定の周波数帯域を用いて通信可能であったとしても、前記制御手段は、前記通信手段が前記特定の周波数帯域のチャネルを用いて前記第２の通信モードの通信を実行しないよう制御することを特徴とする請求項１から２９のいずれか１項に記載の印刷装置。
【請求項３１】
コンピュータを、請求項１から３０のいずれか１項に記載の各手段として機能させるためのプログラム。
【請求項３２】
第１の周波数帯域を用いた無線通信と前記第１の周波数帯域とは異なる第２の周波数帯域を用いた無線通信とをそれぞれ実行可能な印刷装置の制御方法であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を通信手段に実行させるステップと、
前記通信手段の使用するチャネルを設定するステップと、
前記設定されたチャネルを用いた無線通信により、前記情報処理装置から送信された前記通信手段により受信されたデータに基づき印刷処理を実行させるステップと、
を備え、
前記第１の通信モードでは、前記通信手段は、前記第１の周波数帯域のチャネルと、前記第２の周波数帯域に含まれ前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域のチャネルと、前記第２の周波数帯域に含まれ前記特定の周波数帯域とは異なる周波数帯域のチャネル、のいずれのチャネルを用いても通信可能であり、
前記第２の通信モードでは、前記通信手段は、前記第１の周波数帯域のチャネルと、前記第２の周波数帯域に含まれ前記特定の周波数帯域とは異なる周波数帯域のチャネル、のどちらのチャネルを用いても通信可能であり、前記特定の周波数帯域のチャネルを用いて通信しないよう制御されることを特徴とする制御方法。
【請求項３３】
第１の周波数帯域を用いた無線通信と前記第１の周波数帯域とは異なる第２の周波数帯域を用いた無線通信とをそれぞれ実行可能な印刷装置の制御方法であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を通信手段に実行させるステップと、
前記通信手段の使用するチャネルを設定するステップと、
前記設定されたチャネルを用いた無線通信により、前記情報処理装置から送信され前記通信手段により受信されたデータに基づき印刷処理を実行させるステップと、
を備え、
前記第１の通信モードと前記第２の通信モードのどちらも有効化される場合、前記第１の通信モードにおいて使用するチャネルに基づいて前記第２の通信モードにおいて使用するチャネルを設定し、
前記通信手段が前記第１の通信モードにおいて前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域を用いて通信する場合、前記通信手段が前記特定の周波数帯域のチャネルを用いて前記第２の通信モードの通信を実行しないよう制御することを特徴とする制御方法。
【手続補正２】
【補正対象書類名】明細書
【補正対象項目名】発明の名称
【補正方法】変更
【補正の内容】
【発明の名称】印刷装置及びその制御方法、プログラム
【手続補正３】
【補正対象書類名】明細書
【補正対象項目名】００１２
【補正方法】変更
【補正の内容】
【００１２】
本発明の一側面によれば、第１の周波数帯域を用いた無線通信と前記第１の周波数帯域とは異なる第２の周波数帯域を用いた無線通信とをそれぞれ実行可能な印刷装置であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を実行可能な通信手段と、
前記通信手段の使用するチャネルを設定し、前記通信手段を制御する制御手段と、
前記制御手段により設定されたチャネルを用いた無線通信により、前記情報処理装置から送信され前記通信手段により受信されたデータに基づき印刷処理を実行する印刷制御手段と、
を備え、
前記第１の通信モードでは、前記通信手段は、前記第１の周波数帯域のチャネルと、前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域のチャネルと、前記第２の周波数帯域に含まれ前記特定の周波数帯域とは異なる周波数帯域のチャネル、のいずれのチャネルを用いても通信可能であり、
前記第２の通信モードでは、前記通信手段は、前記第１の周波数帯域のチャネルと、前記第２の周波数帯域に含まれ前記特定の周波数帯域とは異なる周波数帯域のチャネル、のどちらのチャネルを用いても通信可能であり、前記特定の周波数帯域のチャネルを用いて通信しないよう制御される、ことを特徴とする印刷装置が提供される。
また他の側面によれば、第１の周波数帯域を用いた無線通信と前記第１の周波数帯域とは異なる第２の周波数帯域を用いた無線通信とをそれぞれ実行可能な印刷装置であって、
外部のアクセスポイントを介して情報処理装置と無線通信を可能とするための第１の通信モードと、前記外部のアクセスポイントを介さずに前記印刷装置が親局として機能し、子局としての情報処理装置との無線通信を可能とするための第２の通信モードと、を実行可能な通信手段と、
前記通信手段の使用するチャネルを設定し、前記通信手段を制御する制御手段と、
前記制御手段により設定されたチャネルを用いた無線通信により、前記情報処理装置から送信され前記通信手段により受信されたデータに基づき印刷処理を実行する印刷制御手段と、
を備え、
前記第１の通信モードと前記第２の通信モードのどちらも有効化される場合、前記制御手段は、前記第１の通信モードにおいて使用するチャネルに基づいて前記第２の通信モードにおいて使用するチャネルを設定し、
前記通信手段が前記第１の通信モードにおいて、前記第２の周波数帯域に含まれＤＦＳ（Ｄｙｎａｍｉｃ  Ｆｒｅｑｕｅｎｃｙ  Ｓｅｌｅｃｔｉｏｎ）機能が適用される必要がある帯域である特定の周波数帯域のチャネルを用いて通信する場合、前記制御手段は、前記通信手段が前記特定の周波数帯域のチャネルを用いて前記第２の通信モードの通信を実行しないよう制御することを特徴とする印刷装置が提供される。